(57)【特許請求の範囲】
【請求項１】
ケースと、
回転軸を有し、前記ケースの下部に回転自在に設けられた回転体と、
該回転体の底面に設けられた濡れた雑巾と、
前記ケースと別の空間を形成し、前記ケースの内部に設けられたハウジングと、
該ハウジング内に設けられ前記回転体を回転駆動するモータと、
前記ケースの内部の底面から円筒形に突設され前記回転体の前記回転軸が挿入される第１ブッシュと、
前記ハウジングの内部の底面から円筒形に突設され、前記第１ブッシュと連通された第２ブッシュと、
前記第１ブッシュの周囲に沿って前記ケースの底面から円筒形に突設され、前記第１ブッシュの内部に埃が流入されることを遮断する遮断部材とを備えることを特徴とする真空掃除機のブラシ。
【請求項２】
前記第１ブッシュの上端から延設され、断面がクランク状を有する折曲部材をさらに備えることを特徴とする請求項１に記載の真空掃除機のブラシ。
【請求項３】
前記折曲部材の折曲部には前記回転軸の容易な挿入のための面取り面が形成されることを特徴とする請求項２に記載の真空掃除機のブラシ。
【請求項４】
ケースと、
回転軸を有し、前記ケースの下部に回転自在に設けられた回転体と、
前記回転体の底面に設けられた濡れた雑巾と、
前記ケースと別の空間を形成し、前記ケースの内部に設けられたハウジングと、
前記ハウジング内に設けられ前記回転体を回転駆動するモータと、
該ケースの内部の底面から円筒形に突設され前記回転体の前記回転軸が挿入される第１ブッシュと、
前記ハウジングの内部の底面から円筒形に突設され、前記第１ブッシュと連通された第２ブッシュと、
前記第２ブッシュの上部の内周面から前記回転軸の外周面に向けてリング状に突設され、前記ハウジングの内部に埃が流入されることを遮断するリング部材とを備えることを特徴とする真空掃除機のブラシ。
【請求項５】
前記回転軸の外周面と並んで前記リング部材の先端から円筒形に延設された内筒部材をさらに備え、前記リング部材と前記内筒部材との連結部分には前記回転軸の容易な挿入のための面取り面が形成されることを特徴とする請求項４に記載の真空掃除機のブラシ。
【請求項６】
ケースと、
回転軸を有し、該ケースの下部に回転自在に設けられた回転体と、
該回転体の底面に設けられた濡れた雑巾と、
前記ケースと別の空間を形成し前記 ケースの内部に設けられたハウジングと、
該ハウジング内に設けられ前記回転体を回転駆動するモータと、
前記ケースの内部底面から円筒形に突設され前記回転体の前記回転軸が挿入される第１ブッシュと、
前記ハウジングの内部底面から円筒形に突設され前記第１ブッシュと連通された第２ブッシュと、
前記第１ブッシュの周囲に沿って前記ケースの底面から円筒形に突設され、前記第１ブッシュの内部に埃が流入されることを遮断する遮断部材と、
前記第２ブッシュの上部の内周面から前記回転軸の外周面に向けてリング状に突設され、前記ハウジングの内部に埃が流入されることを遮断するリング部材とを備えることを特徴とする真空掃除機のブラシ。
【発明の詳細な説明】
【０００１】
【発明の属する技術分野】
本発明は真空掃除機に係り、さらに詳しくはその底面に濡れた雑巾が結合される真空掃除機のブラシに関する。
【０００２】
【従来の技術】
通常の真空掃除機は、掃除しようとする部位の空気を高い吸入力で吸い込んで、この空気に含まれている微細埃及び異物を集塵包袋、排気フィルタを通して収集した後、吸入した空気は本体に設けられている排気口を介して外部に排気させる構造を有する。
【０００３】
即ち、図１に示されている通り、通常の真空掃除機は、掃除機本体１の前方には排気フィルタの装着された集塵室(図示せず)が設けられており、後方には吸入力を発させるファンモータ(図示せず)が設けられている。また、本体１の集塵室にはホース３、取っ手部５、延長管７が順次に分離可能に連結されており、最終的に延長管７の先端にブラシ１００が結合される。６は駆動スイッチである。
【０００４】
一方、近年、ブラシ１００の底面に濡れた雑巾を取付けて埃を吸い込むと同時に、雑巾掛けが行える濡れた雑巾兼用真空掃除機が使用されている。このように濡れた雑巾付きブラシ１００の一例が図２に示されている。
【０００５】
図２に示した通り、ブラシ１００は、上部ケース１１及び下部ケース１２で構成されたケース１０と、ケース１０の後方に結合して延長管７と連結される連結部２０と、下部ケース１２の底面に回転自在に設けられた一対の回転体３０と、ケース１０の内部に設けられ回転体３０を回転駆動させる回転駆動部と、回転体３０に着脱自在に結合された濡れた雑巾６０とを備える。
【０００６】
回転体３０は、その回転中心から突設され、中空の円筒形を有する従動軸３１とを備える。
【０００７】
下部ケース１２は、前方に形成され汚物を含んだ空気が吸い込まれる吸入口１３と、底面から円筒形に突設され、回転体３０の従動軸３１が挿入される一対の第１ブッシュ１４を備える。
【０００８】
回転駆動部は、上部ハウジング４１及び下部ハウジング４２とからなるハウジング４０と、ハウジング４０の内部に設けられ両方向に同時回転する一対の回転軸を有する両方向回転モータ４３と、両方向回転モータ４３の両側回転軸にそれぞれ連結された一対のウォームギア４４と、ウォームギア４４とそれぞれ噛合った一対のウォームホイール４５と、ウォームホイール４５の下部に形成され回転体３０の従動軸３１と連結された駆動軸４６とを備える。下部ハウジング４２は底面から円筒形に突設された一対の第２ブッシュ４７を備える。
【０００９】
図３に示した通り、下部ケース１２の第１ブッシュ１４と下部ハウジング４２の第２ブッシュ４７は相互連通される。回転体３０の従動軸３１は第１ブッシュ１４及び第２ブッシュ４７に挿入される。ウォームホイール４５の駆動軸４６は回転体３０の従動軸３１に挿着され、駆動軸４６が回転すれば従動軸３１も連動して回転する。
【００１０】
以上のように構成されたブラシ１００において、両方向回転モータ４３が駆動されれば、ウォームギア４４及びウォームホイール４５が回転することで駆動軸４６が回転する。駆動軸４６の回転により従動軸３１が回転することにより回転体３０も回転する。回転体３０の下面に取付けられた濡れた雑巾６０は回転体３０の回転に従って回転しつつ、掃除対象面にくっついていた汚物を拭き取る。かつ、埃などを含んだ空気は吸入口１３を介してブラシ１００の内部に吸い込まれた後、連結部２０を通して掃除機本体１内の集塵室に排出される。
【００１１】
ところが、このような従来のブラシ１００では、図３に示した通り、下部ケース１２の底面と回転体３０の上面が離隔されているため、これらの空間を介して第１ブッシュ１４及び第２ブッシュ４７の内部に埃や汚物が流入される。従って、回転体３０の回転が円滑にされず過負荷がかかることにより、両方向回転モータ４３が損傷される問題点がある。
【００１２】
また、従来のブラシ１００によれば、第１ブッシュ１４及び第２ブッシュ４７の内部に流入された埃や汚物が、ウォームホイール４５の下面と第２ブッシュ４７の上端との空間を通して、ハウジング４０の内部へも流入されることにより、ウォームギア４４及びウォームホイール４５の歯列が損傷される問題点もある。
【００１３】
【発明が解決しようとする課題】
本発明は前述した問題点を解決するために案出されたもので、その目的は濡れた雑巾を回転駆動させる回転駆動部に埃や汚物が流入されることを防止できる真空掃除機のブラシを提供するところにある。
【００１４】
【課題を解決するための手段】
前述したような本発明の目的は、ケースと、回転軸を有し前記ケースの下部に回転自在に設けられた回転体と、該回転体の底面に設けられた濡れた雑巾と、前記ケースと別の空間を形成し前記ケースの内部に設けられたハウジングと、前記ハウジング内に設けられ前記回転体を回転駆動するモータと、前記ケースの内部の底面から円筒形に突設され前記回転体の前記回転軸が挿入される第１ブッシュと、前記ハウジングの内部の底面から円筒形に突設され前記第１ブッシュと連通された第２ブッシュと、前記第１ブッシュの周囲に沿って前記ケースの底面から円筒形に突設され前記第１ブッシュ内部に埃が流入されることを遮断する遮断部材と、を備える真空掃除機のブラシを提供することにより達成されうる。
【００１７】
ここで、前記ブラシは前記第１ブッシュの上端から延設され、断面がクランク状を有する折曲部材をさらに備えることも可能であり、前記折曲部材の折曲部には前記回転軸の容易な挿入のための面取り面が形成されることが望ましい。
【００１８】
また、本発明の目的は、ケースと、回転軸を有し前記ケースの下部に回転自在に設けられた回転体と、該回転体の底面に設けられた濡れた雑巾と、前記ケースと別の空間を形成し、前記ケースの内部に設けられたハウジングと、該ハウジング内に設けられ前記回転体を回転駆動するモータと、前記ケースの内部床面から円筒形に突設され前記回転体の前記回転軸が挿入される第１ブッシュと、前記ハウジングの内部の底面から円筒形に突設され前記第１ブッシュと連通された第２ブッシュと、前記第１ブッシュの上部の内周面から前記回転軸の外周面に向けてリング状に突設され、前記ハウジングの内部に埃が流入されることを遮断するリング部材とを備える真空掃除機のブラシを提供することにより達成できる。
【００１９】
ここで、前記ブラシは前記回転軸の外周面と並んで前記リング部材の先端から円筒形に延設された内筒部材をさらに備えることも可能であり、前記リング部材と前記内筒部材の連結部分には前記回転軸の容易な挿入のための面取り面が形成されることが望ましい。
【００２０】
以上のようなブラシによれば、前記遮断部材と前記折曲部材と前記リング部材などが前記ハウジング内部に埃や汚物が流入されることを遮断することで、モータを始めとした回転駆動部をなす各種部品が損傷されることを防止することができる。
【００２１】
【発明の実施の形態】
以下、添付した図面に基づき本発明に係るブラシの望ましい実施例を詳述する。図４に示した通り、本発明に係るブラシ２００は、上部ケース２１１及び下部ケース２１２で構成されたケース２１０と、ケース２１０の後方に結合され延長管７と連結される連結部２２０と、下部ケース２１２の底面に回転自在に設けられた一対の回転体２３０と、ケース２１０の内部に設けられ回転体２３０を回転駆動させる回転駆動部と、回転体２３０に着脱自在に結合された濡れた雑巾２６０とを備える。
【００２２】
回転体２３０はその回転中心から突設され、中空の円筒形を有する従動軸２３１を備える。
【００２３】
下部ケース２１２は、前方に形成され汚物を含んだ空気が吸い込まれる吸入口２１３と、底面から円筒形に突設され回転体２３０の従動軸２３１が挿入される一対の第１ブッシュ２１４とを備える。
【００２４】
回転駆動部は、上部ハウジング２４１及び下部ハウジング２４２とからなるハウジング２４０と、ハウジング２４０の内部に設けられ、両方向に同時に回転する一対の回転軸を有する両方向回転モータ２４３と、両方向回転モータ２４３の両側回転軸にそれぞれ連結された一対のウォームギア２４４と、ウォームギア２４４とそれぞれ噛合った一対のウォームホイール２４５と、ウォームホイール２４５の下部に形成され、回転体２３０の従動軸２３１と連結された駆動軸２４６と、を備える。下部ハウジング２４２は底面から円筒形に突設された一対の第２ブッシュ２４７を備える。
【００２５】
図５に示した通り、下部ケース２１２の第１ブッシュ２１４と下部ハウジング２４２の第２ブッシュ２４７とは相互連通される。回転体２３０の従動軸２３１は第１ブッシュ２１４及び第２ブッシュ２４７に挿入される。ウォームホイール２４５の駆動軸２４６は回転体２３０の従動軸２３１に挿着され、駆動軸２４６が回転すれば従動軸２３１も連動して回転する。
【００２６】
下部ケース２１２の底面には円筒形の遮断部材２１５が突設される。遮断部材２１５は第１ブッシュ２１４の周囲を包む形態に形成されることで、下部ケース２１２の底面と回転体２３０の上面との間隙を介して第１ブッシュ２１４の内部に埃や汚物が流入されることを遮断する。
【００２７】
第１ブッシュ２１４の上端には断面がクランク状を有するよう折り曲げられた折曲部材２１６が一体に形成される。すなわち、折曲部材２１６は二つのリングが互いに垂直に接合された形状を有する。折曲部材２１６は、従動軸２３１が挿入されうる空間を除き、第１ブッシュ２１４と第２ブッシュ２４７との間を遮断することで、第１ブッシュ２１４を介して第２ブッシュ２４７の内部に埃や汚物が流入されることを遮断する。一方、折曲部材２１６の折曲部の内側には面取り面２４８ａが形成される。面取り面２４８ａにより従動軸２３１の外周面と折曲部材２１６の内周面との接触面積が狭まる。従って、従動軸２３１が第１ブッシュ２１４に容易に結合され、従動軸２３１の回転時にその外周面が折曲部材２１６の内周面と摩擦されることにより発する回転負荷を軽減することができる。
【００２８】
一方、第２ブッシュ２４７の上部の内周面には従動軸２３１に向けてリング状を有するリング部材２４８が突設される。リング部材２４８の先端には従動軸２３１の外周面と並んで円筒形の内筒部材２４９が延設される。すなわち、第２ブッシュ２４７の上部は内外側が一体に形成された二重の円筒形の形状を有する。リング部材２４８と内筒部材２４９はウォームホイール２４５の下面と第２ブッシュ２４７の内部空間の間を遮断することで、第２ブッシュ２４７を介してハウジング２４０の内部に埃や汚物が流入されることを遮断する。リング部材２４８と内筒部材２４９の連結部の内側には面取り面２４８ａが形成される。この面取り面２４８ａは、折曲部材２１６の面取り面２１６ａと同様、従動軸２３１が第２ブッシュ２４７に容易に結合され、従動軸２３１の回転時にその外周面が内筒部材２４９の内周面と摩擦されることにより発する回転負荷を軽減させるよう働く。
【００２９】
以上のように構成されたブラシ２００において、両方向回転モータ２４３が駆動すれば、ウォームギア２４４及びウォームホイール２４５が回転することで、駆動軸２４６が回転する。駆動軸２４６の回転により従動軸２３１が回転することで、回転体２３０も回転する。回転体２３０の下面に取付けられた濡れた雑巾２６０は回転体２３０の回転に従って回転しつつ、掃除対象面にくっついていた汚物を拭き取る。かつ、埃などを含んだ空気は吸入口２１３を介してブラシ２００の内部に吸い込まれた後、連結部２２０を介して掃除機本体(図１参照)１内の集塵室(図示せず)に排出される。
【００３０】
【発明の効果】
前述した通り、本発明に係るブラシ２００によれば、遮断部材２１５が下部ケース２１２の底面と回転体２３０の上面との空間に浸透する埃や汚物を濾すことで、第１ブッシュ２１４を介してハウジング２４０の内部に埃や汚物が流入されることを防止することができる。
【００３１】
また、本発明に係るブラシ２００によれば、遮断部材２１５が濾すには限界のある埃や汚物を、第１ブッシュ２１４の上端の折曲部材２１６と、第２ブッシュ２４７の上部のリング部材２４８及び内筒部材２４９が濾してくれることで、ハウジング２４０の内部に埃や汚物が流入されることを確実に防止することができる。
【００３２】
そして、本発明に係るブラシ２００によれば、以上のようにハウジング２４０の内部に埃や汚物が流入されることを防止することで、回転駆動部をなす各種部品が損傷されることを防止できる。特に、ウォームギア２４４及びウォームホイール２４５の摩擦による歯列損傷や、両方向回転モータ２４３の過負荷による損傷などを防止することができる。
【００３３】
以上、本発明の特定の望ましい実施例について示しかつ説明した。しかし、本発明は前述した実施例に限らず、特許請求の範囲で請求する本発明の要旨を逸脱せず当該発明の属する技術分野において通常の知識を持つ者ならば誰でも多様な変形実施が可能であろう。
【図面の簡単な説明】
【図１】一般の真空掃除機の外観斜視図である。
【図２】従来の濡れた雑巾付きブラシの分解斜視図である。
【図３】図２のブラシが結合された状態でI−I線及びII−II線断面を示した一部断面図である。
【図４】本発明の一実施例によるブラシの分解斜視図である。
【図５】図４のブラシが結合された状態でIV−IV線及びV−V線断面を示した一部断面図である。
【符号の説明】
７      延長管
２００  ブラシ
２１０  ケース
２１１  上部ケース
２１２  下部ケース
２１３  吸入口
２１４  第１ブラシ
２１５  遮断部材
２１６  折曲部材
２１６ａ、２４８ａ  面取り面
２２０  連結部
２３０  回転体
２３１  従動軸
２４０  ハウジング
２４１  上部ハウジング
２４２  下部ハウジング
２４３  両方向回転モータ
２４４  ウォームギア
２４５  ウォームホイール
２４６  駆動軸
２４７  第２ブッシュ
２４８  リング部材
２４９  内筒部材
【図１】
0003771845.tif 000002
【図２】
0003771845.tif 000003
【図３】
0003771845.tif 000004
【図４】
0003771845.tif 000005
【図５】
0003771845.tif 000006